(57)【要約】【課題】利用者が感動したとき、感動量をリアルタイムに記録し、かつ、その感動を他の利用者と共有する。【解決手段】感動情報提供装置１０は、端末２０から送信された、利用者ＩＤと、端末２０の利用者の感動の日時および当該日時における端末２０の位置を示す周辺情報と、利用者の感動量とからなる感動情報を感動情報ＤＢ１４１に記録する。その後、感動情報提供装置１０は、端末２０からの感動情報の追記要求に基づき、端末２０の利用者の感動情報を送信する。そして、感動情報提供装置１０は、端末２０から当該感動情報の追記情報を受信すると、受信した追記情報を感動情報ＤＢ１４１の感動情報に追記する。また、感動情報提供装置１０は、端末２０から受信した周辺情報のいずれかを検索条件として、感動情報ＤＢ１４１から検索した各利用者の感動情報を検索して、端末２０に送信する。【選択図】図１
2016071394.tif 000002
【特許請求の範囲】
【請求項１】
端末の利用者の利用者ＩＤと、前記利用者の感動の日時および当該日時における端末の位置を示す周辺情報と、当該日時における前記利用者の感動量とを対応付けた感動情報を記憶部に記録する記録部と、
前記端末からの要求に基づき、当該端末の利用者の感動情報を当該端末へ送信し、当該端末から受信した当該感動情報の追記情報を前記記憶部の当該感動情報に追記する追記部と、
前記端末から受信した前記周辺情報のいずれかを検索条件として、前記端末からの要求に基づき前記記憶部から当該検索条件に適合した各利用者の感動情報を抽出して当該端末に送信する抽出部と
を備えることを特徴とする感動情報提供装置。
【請求項２】
端末の利用者の利用者ＩＤと、前記利用者の感動の日時および当該日時における端末の位置を示す周辺情報と、当該日時における前記利用者の感動量とを対応付けた感動情報を記憶部に記録する記録部と、
前記端末からの要求に基づき、当該端末の利用者の感動情報を当該端末へ送信し、当該端末から受信した当該感動情報の追記情報を前記記憶部の当該感動情報に追記する追記部と、
前記記憶部における各利用者の感動情報のうち、類似する周辺情報を持つ感動情報の利用者のグループを生成し、前記生成したグループに属する利用者の端末に対し、前記グループのコミュニティへの参加を招待する情報を送信する生成部と
を備えることを特徴とする感動情報提供装置。
【請求項３】
端末の利用者の属性情報を示す利用者情報を記憶する記憶部と、
端末の利用者の利用者ＩＤと、前記利用者の感動の日時および当該日時における端末の位置を示す周辺情報と、当該日時における前記利用者の感動量とを対応付けた感動情報を前記記憶部に記録する記録部と、
前記記憶部に記録された感動情報および前記利用者情報を参照して、前記利用者の感動量の地域的な分布、時間的な分布、および、前記利用者の属性の違いによる前記感動量の違いの少なくともいずれかの分析を行い、前記分析の結果を出力する分析部と
を備えることを特徴とする感動情報提供装置。
【請求項４】
前記利用者の感動量は、前記利用者の端末のハードウェアボタンの単位時間当たりの操作回数、前記端末のソフトウェアボタンの単位時間当たりの操作回数、単位時間当たりの前記端末が振られた回数、単位時間当たりの前記端末の加圧回数、および、単位時間当たりの前記端末の画像の撮影枚数、の少なくともいずれかにより決定されることを特徴とする請求項１〜３のいずれか１項に記載の感動情報提供装置。
【請求項５】
前記端末の周辺情報として、前記周辺情報の示す日時近傍における、当該端末の保有情報、および、インターネット経由で取得された情報の少なくともいずれかを用いることを特徴とする請求項１〜３のいずれか１項に記載の感動情報提供装置。
【請求項６】
端末の利用者の利用者ＩＤと、前記利用者の感動の日時および当該日時における端末の位置を示す周辺情報と、当該日時における前記利用者の感動量とを対応付けた感動情報を記憶部に記録するステップと、
前記端末からの要求に基づき、当該端末の利用者の感動情報を当該端末へ送信し、当該端末から受信した当該感動情報の追記情報を前記記憶部の当該感動情報に追記するステップと、
前記端末から受信した前記周辺情報のいずれかを検索条件として、前記端末からの要求に基づき前記記憶部から当該検索条件に適合した各利用者の感動情報を抽出して当該端末に送信するステップと
を含んだことを特徴とする感動情報提供方法。
【請求項７】
端末の利用者の利用者ＩＤと、前記利用者の感動の日時および当該日時における端末の位置を示す周辺情報と、当該日時における前記利用者の感動量とを対応付けた感動情報を記憶部に記録するステップと、
前記端末からの要求に基づき、当該端末の利用者の感動情報を当該端末へ送信し、当該端末から受信した当該感動情報の追記情報を前記記憶部の当該感動情報に追記するステップと、
前記記憶部における各利用者の感動情報のうち、類似する周辺情報を持つ感動情報の利用者のグループを生成し、前記生成したグループに属する利用者の端末に対し、前記グループのコミュニティへの参加を招待する情報を送信するステップと
を含んだことを特徴とする感動情報提供方法。
【請求項８】
端末の利用者の利用者ＩＤと、前記利用者の感動の日時および当該日時における端末の位置を示す周辺情報と、当該日時における前記利用者の感動量とを対応付けた感動情報を記憶部に記録するステップと、
前記記憶部に記録された感動情報と、前記利用者の属性情報を示した利用者情報とを参照して、前記利用者の感動量の地域的な分布、時間的な分布、および、前記利用者の属性の違いによる前記感動量の違いの少なくともいずれかの分析を行い、前記分析結果を出力するステップと
を含んだことを特徴とする感動情報提供方法。
【請求項９】
コンピュータを、請求項１〜５のいずれか１項に記載の感動情報提供装置として機能させるための感動情報提供プログラム。
【発明の詳細な説明】
【技術分野】
【０００１】
本発明は、感動情報提供装置、感動情報提供方法、および、感動情報提供プログラムに関する。
【背景技術】
【０００２】
従来、利用者の感動を利用者自らの能動的行為によって記録する技術がある。例えば、利用者が記録しておきたい事象をウェアアラブルデバイスにより取得し、取得した事象をライフログとしてスマートフォン等に記録する技術がある（例えば、非特許文献１参照）。
【０００３】
また、携帯端末で測定した利用者の位置情報のみを手掛かりとし、地図情報と合わせて利用者から日記作成の指示を受けた時点で利用者の行動が予め登録された行動パターンに一致する場合はそれにあった定型文をとりあえず、その時点の記録としておき、後でワードプロセッサ等により利用者が編集する技術がある（例えば、特許文献１参照）。
【先行技術文献】
【特許文献】
【０００４】
【特許文献１】特開２００２−２１５６１１号公報
【非特許文献】
【０００５】
【非特許文献１】SmartBand  SWR１0、[online]、[平成26年8月25日検索]、インターネット<URL：http://www.sonymobile.co.jp/product/smartwear/swr１0>
【発明の概要】
【発明が解決しようとする課題】
【０００６】
しかし、上記の技術は、記録の内容が感動だけを指すものでは必ずしもないこと、また感動量について記録するものではないため、利用者が感動した内容の詳細情報を感動した後に追記するときに思い出しにくいという問題があった。さらに、上記の技術は、各利用者に閉じた記録に留まっており、同じ対象に感動した他の利用者との間で感動の共有を行うことができないという問題があった。そこで、本発明は、このような問題を解決し、利用者が感動したとき、その感動量をリアルタイムに記録し、かつ、その感動を他の利用者と共有することを課題とする。
【課題を解決するための手段】
【０００７】
前記した課題を解決するため、本発明は、端末の利用者の利用者ＩＤと、前記利用者の感動の日時および当該日時における端末の位置を示す周辺情報と、当該日時における前記利用者の感動量とを対応付けた感動情報を記憶部に記録する記録部と、前記端末からの要求に基づき、当該端末の利用者の感動情報を当該端末へ送信し、当該端末から受信した当該感動情報の追記情報を前記記憶部の当該感動情報に追記する追記部と、前記端末から受信した前記周辺情報のいずれかを検索条件として、前記端末からの要求に基づき前記記憶部から当該検索条件に適合した各利用者の感動情報を抽出して当該端末に送信する抽出部とを備えることを特徴とする。
【０００８】
また、本発明は、端末の利用者の利用者ＩＤと、前記利用者の感動の日時および当該日時における端末の位置を示す周辺情報と、当該日時における前記利用者の感動量とを対応付けた感動情報を記憶部に記録する記録部と、前記端末からの要求に基づき、当該端末の利用者の感動情報を当該端末へ送信し、当該端末から受信した当該感動情報の追記情報を前記記憶部の当該感動情報に追記する追記部と、前記記憶部における各利用者の感動情報のうち、類似する周辺情報を持つ感動情報の利用者のグループを生成し、前記生成したグループに属する利用者の端末に対し、前記グループのコミュニティへの参加を招待する情報を送信する生成部とを備えることを特徴とする。
【０００９】
さらに、本発明は、端末の利用者の属性情報を示す利用者情報を記憶する記憶部と、端末の利用者の利用者ＩＤと、前記利用者の感動の日時および当該日時における端末の位置を示す周辺情報と、当該日時における前記利用者の感動量とを対応付けた感動情報を前記記憶部に記録する記録部と、前記記憶部に記録された感動情報および前記利用者情報を参照して、前記利用者の感動量の地域的な分布、時間的な分布、および、前記利用者の属性の違いによる前記感動量の違いの少なくともいずれかの分析を行い、前記分析の結果を出力する分析部とを備えることを特徴とする。
【発明の効果】
【００１０】
本発明によれば、利用者が感動したとき、その感動量をリアルタイムに記録し、かつ、その感動を他の利用者と共有することができる。
【図面の簡単な説明】
【００１１】
【図１】図１は、第１の実施形態のシステム構成の例を示す図である。
【図２】図２は、各実施形態における端末の構成を示す図である。
【図３】図３は、第１の実施形態のシステムの感動記録フェーズの処理手順の例を示す図である。
【図４】図４は、第１の実施形態のシステムの追記フェーズの処理手順の例を示す図である。
【図５】図５は、第１の実施形態のシステムの追記フェーズにおける表示画面の例を示す図である。
【図６】図６は、第１の実施形態のシステムの共有フェーズの処理手順の例を示す図である。
【図７】図７は、第１の実施形態のシステムの共有フェーズにおける表示画面の例を示す図である。
【図８】図８は、第１の実施形態のシステムの共有フェーズにおける表示画面の例を示す図である。
【図９】図９は、第２の実施形態のシステム構成の例を示す図である。
【図１０】図１０は、第２の実施形態のシステムの感動記録フェーズの処理手順の例を示す図である。
【図１１】図１１は、第２の実施形態のシステムの追記フェーズにおける表示画面の例を示す図である。
【図１２】図１２は、第３の実施形態のシステム構成の例を示す図である。
【図１３】図１３は、ＯＬＡＰ分析を説明するための図である。
【図１４】図１４は、第３の実施形態のシステムの分析可視化フェーズの処理手順の例を示す図である。
【図１５】図１５は、第３の実施形態のシステムの分析可視化フェーズの処理手順における表示画面の例を示す図である。
【図１６】図１６は、第４の実施形態のシステム構成の例を示す図である。
【図１７】図１７は、第４の実施形態のシステムの共有フェーズの処理手順の例を示す図である。
【図１８】図１８は、第４の実施形態のシステムの共有フェーズの表示画面の例を示す図である。
【図１９】図１９は、感動情報提供プログラムを実行するコンピュータを示す図である。
【発明を実施するための形態】
【００１２】
以下、図面を参照しながら、本発明を実施するための形態（実施形態）を第１の実施形態から第４の実施形態に分けて説明する。なお、本発明は各実施形態に限定されない。
【００１３】
（第１の実施形態）
図１を用いて第１の実施形態のシステムの構成を説明する。本システムは、感動情報提供装置１０と、１以上の端末２０とを備える。これらは、インターネット等のネットワークにより接続される。なお、各実施形態の感動情報提供装置および端末の台数は、各図に示す台数に限定されない。
【００１４】
感動情報提供装置１０は、端末２０から利用者の感動時における端末２０の周辺情報、感動時における当該利用者の感動量等を含む利用者の感動情報を受信すると、この感動情報を記憶部１４の感動情報ＤＢ（データベース）１４１に記録する。また、感動情報提供装置１０は、端末２０からの感動情報の追記情報を受け付けると、この追記情報を感動情報ＤＢ１４１における当該感動情報に追記する。さらに、感動情報提供装置１０は、端末２０からの要求に応じて感動情報ＤＢ１４１に蓄積される各利用者の感動情報を送信する。
【００１５】
端末２０は、スマートフォンやパーソナルコンピュータ等であり、感動情報提供装置１０へ利用者の感動情報を送信する。また、端末２０は、感動情報提供装置１０から各利用者の感動情報を取得し、表示する。なお、利用者は、感動情報の送信にはスマートフォン等の端末２０を用い、感動情報の追記情報の送信にはパーソナルコンピュータ等の端末２０を用いる等、複数の端末２０を使い分けてもよい。
【００１６】
図１を用いてシステムの動作概要を説明する。システムの動作は、（１）感動記録フェーズ、（２）追記フェーズ、（３）共有フェーズに分けられる。
【００１７】
（１）感動記録フェーズ
端末２０は、利用者の感動量の取得を行う。ここでの感動量は、例えば、端末２０に対する利用者の単位時間あたりの操作量等である。また、端末２０は、感動時の周辺情報を取得する。この周辺情報は、例えば、感動時の日時および場所情報（端末２０の位置情報）である。そして、端末２０は、感動情報提供装置１０に対し利用者ＩＤでログインすると、利用者の感動量と周辺情報とを送信する。そして、感動情報提供装置１０は、端末２０から受信した利用者の感動量と周辺情報とを利用者の感動情報として感動情報ＤＢ１４１に記録する。
【００１８】
（２）追記フェーズ
感動情報提供装置１０は、感動記録フェーズの後、端末２０の利用者ＩＤによるログインを受け付けると、端末２０からの追記要求に応じて、感動情報ＤＢ１４１に記録された端末２０の利用者の感動情報（感動量、周辺情報等）を読み出し、端末２０へ送信する。端末２０は、感動情報提供装置１０から受信した感動情報を表示し、端末２０の利用者から感動情報への追記情報の入力を受け付ける。そして、端末２０は入力された追記情報を感動情報提供装置１０へ送信する。追記情報を受信した感動情報提供装置１０は、感動情報ＤＢ１４１における利用者の感動情報に当該追記情報を記録する。
【００１９】
例えば、利用者が端末２０を操作して、感動情報提供装置１０の感動情報ＤＢ１４１から利用者ＩＤ「A01033」、日時「2017/03/07  13：32：40.00」、感動量「12」、場所「±dd.mm,ss.sss/±dd.mm,ss.sss」の感動情報を取得し、この感動情報の内容を見ることで、追記すべき内容を思い出し、追記情報（例えば、「ノラちゃんかわいすぎる」等）を端末２０へ入力する。そして、端末２０は、入力された追記情報を感動情報提供装置１０へ送信し、感動情報提供装置１０はこの追記情報（例えば、「ノラちゃんかわいすぎる」等）を、感動情報ＤＢ１４１における当該利用者の感動情報に追記する。
【００２０】
（３）共有フェーズ
次に、感動情報提供装置１０は、感動情報の閲覧者の端末２０から周辺情報のいずれかを含む検索要求を受け付けると、この周辺情報を検索条件として、感動情報ＤＢ１４１から検索条件に適合する各利用者の感動情報（例えば、感動量、周辺情報、追記情報等）を抽出して、端末２０に送信する。これにより端末２０の利用者（閲覧者）は、所定の日時、所定の場所における他の利用者の感動情報を閲覧することができる。例えば、端末２０の利用者は、自身が感動した日時、場所において、同じように感動した人がいるか否かや、感動した人がいれば、どの程度あるいはどのように感動したか等を知ることができる。つまり、複数の利用者間で感動情報を共有することができる。
【００２１】
（感動情報提供装置）
引き続き、図１を用いて感動情報提供装置１０を詳細に説明する。感動情報提供装置１０は、記録部１１と、追記部１２と、抽出部１３と、記憶部１４とを備える。
【００２２】
記録部１１は、端末２０から送信された利用者の感動情報を記憶部１４の感動情報ＤＢ１４１に記録する。例えば、記録部１１は、端末２０から送信された利用者ＩＤと、端末２０の感動量（例えば、単位時間あたりの端末２０の操作量）と、感動した日時および当該日時における端末２０の場所を示す周辺情報とを対応付けた情報を、当該利用者の感動情報として感動情報ＤＢ１４１に記録する。
【００２３】
追記部１２は、端末２０から受信した追記情報を感動情報ＤＢ１４１の感動情報に追記する。具体的には、追記部１２は、まず端末２０からの要求に基づき、追記対象となる感動情報を送信する。その後、追記部１２は、端末２０から当該感動情報の追記情報を受信すると、感動情報ＤＢ１４１における当該感動情報に追記する。
【００２４】
抽出部１３は、端末２０から周辺情報を含む検索要求を受け付けると、この周辺情報のいずれかを検索条件として、感動情報ＤＢ１４１から検索条件に適合する各利用者の感動情報を抽出して、端末２０に送信する。
【００２５】
記憶部１４は、感動情報ＤＢ１４１を備える。この感動情報ＤＢ１４１は、端末２０から送信された利用者の感動情報（日時、利用者ＩＤ、感動量、場所、追記情報等）を記憶する。例えば、図１の感動情報ＤＢ１４１の１行目の感動情報は、日時「2017/03/07  13：32：40.00」における利用者ＩＤ「A01033」の感動量は「12」であり、このときの場所は「±dd.mm,ss.sss/±dd.mm,ss.sss」であることを示す。また、この感動情報には「ノラちゃんかわいすぎる」という追記情報があることを示す。なお、この感動情報の場所の情報は、上記のような緯度・経度の情報のみならず、住所等の情報も含んでいてよい。
【００２６】
なお、ここでは図示を省略しているが、感動情報提供装置１０はログイン処理部と、利用者ＩＤ、パスワード等を示す利用者情報とを備え、これらにより端末２０からのログインを受け付けるものとする。
【００２７】
（端末）
次に、図２を用いて端末２０を詳細に説明する。端末２０は、記憶部２２と、制御部２３と、操作部２４と、表示部２５と、時計部２６と、センサ部２７と、位置検出部２８とを備える。
【００２８】
記憶部２２は、感動量情報と周辺情報を記憶する。この感動量情報は、利用者の感動量を示した情報であり、例えば、端末２０の操作部２４（詳細は後記。例えば、ハードウェアボタン等）の単位時間当たりの操作回数、ソフトウェアボタンの単位時間当たりの操作回数、単位時間当たりの端末２０を振った回数、単位時間当たりの端末２０の加圧回数、単位時間当たりの撮影画像枚数等の情報である。また、周辺情報は、例えば、時計部２６により計測された感動時の日時、位置検出部２８により検出された感動時の位置情報等である。記憶部２２内のこれらの情報は、例えば、送信部２３３が感動情報の送信エラー等を起こしたときのリトライ用等に用いられる。
【００２９】
制御部２３は、端末２０全体の制御を司る。制御部２３の詳細は後記する。
【００３０】
操作部２４は、端末２０の利用者から当該端末２０に対する操作入力を受け付ける。この操作部２４は、例えば、ボタンやキーボード、タッチパネル等である。操作入力の内容は制御部２３へ出力される。
【００３１】
表示部２５は、制御部２３から出力された各種データを表示する。例えば、表示部２５は、制御部２３において感動情報提供装置１０から受信した感動情報を表示したり、この感動情報の追記情報の入力を受け付ける画面を表示したりする。この表示部２５は、例えば、液晶モニタ等である。
【００３２】
時計部２６は、日時等を計測する。センサ部２７は、端末２０が振られたり、加圧されたりしたことを検出する。位置検出部２８は、ＧＰＳ（Global  Positioning  System）等により端末２０の位置（場所）の検出を行う。
【００３３】
次に、制御部２３を詳細に説明する。制御部２３は、操作検出部２３１と、カウント部２３２と、送信部２３３と、受信部２３４とを備える。
【００３４】
操作検出部２３１は、各種操作の検出を行う。例えば、操作検出部２３１は、操作部２４およびセンサ部２７により、端末２０のハードウェアボタン、ソフトウェアボタン等が操作されたこと、端末２０が振られたこと、端末２０が加圧されたこと等を検出する。
【００３５】
カウント部２３２は、操作検出部２３１により検出された操作の回数をカウントする。例えば、端末２０の操作部２４（例えば、ハードウェアボタン等）の単位時間当たりの操作回数、ソフトウェアボタンの単位時間当たりの操作回数、単位時間当たりの端末２０を振った回数、端末２０の単位時間当たりの加圧された回数、単位時間当たりの端末２０の撮影画像枚数等をカウントする。
【００３６】
送信部２３３は、感動情報提供装置１０へ各種情報を送信する。例えば、送信部２３３は、感動情報提供装置１０へ利用者ＩＤを送信してログインした後、カウント部２３２によりカウントされた利用者の感動量と、感動時の周辺情報とを、当該利用者の感動情報として感動情報提供装置１０へ送信する。また、送信部２３３は、操作部２４経由で感動情報の追記情報の入力を受け付けると、この追記情報を感動情報提供装置１０へ送信する。さらに、送信部２３３は、周辺情報を検索条件とした各利用者の感動情報の検索要求を感動情報提供装置１０へ送信する。
【００３７】
受信部２３４は、感動情報提供装置１０から送信された感動情報等を受信する。受信した感動情報は、表示部２５等へ出力される。
【００３８】
（処理手順）
次に、図３〜図６を用いて（１）感動記録フェーズ、（２）追記フェーズ、（３）共有フェーズの処理手順の例を説明する。
【００３９】
まず、図３を用いて、図１の感動記録フェーズの処理手順の例を説明する。なお、端末２０の利用者Ａは、感動情報提供装置１０に対し、事前に、利用者ＩＤ、ハンドルネーム、パスワード、生年、性別、住所等の利用者情報を登録しておくものとする。端末２０は、利用者Ａの利用者ＩＤ、パスワードで感動情報提供装置１０にログインすると（Ｓ１：利用者ＩＤでログイン）、端末２０内から利用者の感動量を取得する（Ｓ２）。つまり、端末２０の送信部２３３は、カウント部２３２でカウントされた利用者の感動量を取得する。
【００４０】
そして、端末２０の送信部２３３は、時計部２６により当該端末２０の日時情報を取得し（Ｓ３）、また、位置検出部２８により当該端末２０の場所情報を取得する（Ｓ４）。つまり、端末２０は、感動時の周辺情報を取得する。次に、端末２０の送信部２３３は、利用者ＩＤ、感動量、日時情報、場所情報（感動情報）を感動情報提供装置１０に送信する（Ｓ５）。
【００４１】
感動情報提供装置１０の記録部１１は、端末２０からの利用者ＩＤ、感動量、日時情報、場所情報（感動情報）を受信し（Ｓ６）、受信した感動情報を記憶部１４の感動情報ＤＢ１４１へ記録する（Ｓ７）。
【００４２】
次に、図４を用いて、図１の追記フェーズの処理手順の例を説明する。端末２０が利用者ＩＤ、パスワードで感動情報提供装置１０にログインすると（Ｓ１：利用者ＩＤでログイン）、端末２０の送信部２３３は、利用者ＩＤ、日時情報または場所情報を感動情報提供装置１０に送信する（Ｓ１２）。つまり、端末２０は操作部２４経由で、追記対象の感動情報の日時情報または場所情報の入力を受け付けると、これらの情報を含む追記要求を感動情報提供装置１０へ送信する。
【００４３】
Ｓ１２の後、感動情報提供装置１０の追記部１２は、端末２０から利用者ＩＤと、日時情報または場所情報を受信すると（Ｓ１３）、当該情報による感動情報ＤＢ１４１の検索を行う（Ｓ１４）。そして、追記部１２は、感動情報ＤＢ１４１から検索された感動情報を端末２０へ送信する。
【００４４】
Ｓ１４の後、端末２０の受信部２３４は、感動情報提供装置１０から送信された感動情報を受信すると、表示部２５に、当該感動情報に示される利用者ＩＤに関する感動量、日時情報または場所情報の表示を行う（Ｓ１５）。
【００４５】
Ｓ１５の後、端末２０の操作部２４は、感動（つまり、表示した感動情報）に関する追記情報の入力を受け付ける（Ｓ１６）。例えば、まず、端末２０は、Ｓ１で表示部２５に、図５の符号１０２に示すログイン画面を表示し、このログイン画面から利用者ＩＤとパスワードの入力を受け付けた後、Ｓ１５で感動情報提供装置１０から送信された端末２０の利用者の感動情報（感動量、日時情報または場所情報）の一覧を符号１０３に示す画面を表示し、追記対象の感動情報の選択入力を受け付ける。その後、端末２０は、表示部２５に、選択された感動情報（符号１０４１）とこの感動情報の追記情報の入力を受け付ける領域（符号１０４２）を含む符号１０４に示す画面を表示させ、この画面上から追記情報の入力を受け付ける。
【００４６】
Ｓ１６の後、端末２０の送信部２３３は、入力された追記情報を感動情報提供装置１０に送信する（Ｓ１７）。
【００４７】
Ｓ１７の後、感動情報提供装置１０の追記部１２は、端末２０からの追記情報を受信すると（Ｓ１８）、この追記情報を感動情報ＤＢ１４１に追記する（Ｓ１９）。つまり、追記部１２は、Ｓ１４で感動情報ＤＢ１４１から検索された感動情報に、Ｓ１８で受信した追記情報を追記する。これにより、例えば、図４の符号４０１に示す情報が感動情報ＤＢ１４１に追記される。
【００４８】
次に、図６を用いて、共有フェーズの処理手順の例を説明する。端末２０が、利用者Ｂの利用者ＩＤ、パスワードで感動情報提供装置１０にログインすると（Ｓ１：利用者ＩＤでログイン）、端末２０の送信部２３３は感動情報の検索要求を感動情報提供装置１０に送信する（Ｓ２２）。なお、この検索要求は、検索対象の感動情報の周辺情報を含む。
【００４９】
感動情報提供装置１０の抽出部１３は、端末２０からの検索要求を受信すると、この検索要求に含まれる周辺情報を検索条件とした感動情報ＤＢ１４１の検索を行う（Ｓ２３）。例えば、抽出部１３は、周辺情報に示される日時情報および場所情報の近傍情報を作成し、この近傍情報を検索条件として感動情報ＤＢ１４１からこの検索条件に合致する感動情報を検索する。なお、ここでの検索は、周辺情報に含まれる情報すべてを検索条件としてもよいし、周辺情報に含まれるいずれかの情報を検索条件としてもよい。
【００５０】
その後、抽出部１３は、Ｓ２３で検索された感動情報の表示情報を生成する（Ｓ２４）。例えば、抽出部１３は検索された感動情報に含まれる場所情報の地図イメージを地図イメージデータベース１７等から取得する。例えば、抽出部１３は、場所情報に含まれる緯度・経度を住所に変換し、その変換した住所の周辺の地図イメージを地図イメージデータベース１７等から取得する。そして、抽出部１３は取得した地図イメージを含む表示情報を生成する。抽出部１３は、生成した表示情報を端末２０へ送信する。
【００５１】
Ｓ２４の後、端末２０の受信部２３４は感動情報提供装置１０から送信された表示情報を表示部２５に表示する（Ｓ２５）。これにより、端末２０の利用者（利用者Ｂ）は所定の日時および場所の近傍における他の利用者の感動情報（例えば、利用者ＩＤ、感動量、日時、場所、追記情報等）を閲覧することができる。
【００５２】
ここで、感動情報提供装置１０の抽出部１３により生成される表示情報の例を、図７および図８を用いて説明する。
【００５３】
例えば、表示情報は、図７の符号１０５に示すように、感動情報の検索条件に用いられた周辺情報の地図イメージおよび日時を示す領域１０６と、検索された各利用者の感動情報を示す領域１０８とを備える。ここで領域１０６における「△」は感動情報が記録された場所を示す。この領域１０６における「△」のうち、領域１０８に表示されている感動情報に対応する「△」については、色を変えて表示させてもよい。領域１０８に表示される感動情報は追記情報を表示する領域１０９、感動量を表示する領域１１０、利用者ＩＤや利用者のアイコンを表示する領域１１１等を含む。なお、感動量は、例えば、各利用者の感動量を１０段階で正規化した値を用いる。
【００５４】
感動情報提供装置１０が上記のような表示情報を生成することで、利用者は、他の利用者がどの場所どの日時でどのように感動したかを視覚的に確認しやすくなる。
【００５５】
また、表示情報は、図７の符号１１２に示すように地図イメージ上に、感動が発生した場所近傍における感動情報の数（感動した人の数）を表示した情報であってもよい。例えば、符号１１３、符号１１４に示す「△」の中の数字は、その場所近傍における感動情報の数（感動した人の数）を示し、その場所にポインタを合わせると、感動情報の詳細（符号１１５）を表示させるようにしてもよい。このような表示情報によれば、多数の感動情報が集中している場所でも、利用者が感動情報を確認しやすくなる。なお、日時情報は、符号１１６に示すように文字等により表示してもよいし、タイムライン等により表示してもよい。
【００５６】
また、図７の符号１１２における感動情報の数は、例えば、図８の符号１２０に示すように地図イメージ上の直方体の図形で表示するようにしてもよい。例えば、符号１２０に示す地図イメージ上の直方体（例えば、符号１２１）は感動した人の数および感動量を示し、感動した人（利用者）の数が多いほど幅を広くし、感動量の総和が大きいほど高さを高くしている。そして、この地図上の直方体の図形が選択されると、当該図形の対応する感動情報の詳細が表示される（符号１２２参照）。このような表示情報によれば、各利用者がどの場所でどれぐらいの数の人がどれぐらい感動したかを視覚的に確認しやすくなる。
【００５７】
以上説明した第１の実施形態のシステムによれば、端末２０の利用者が感動したとき、その感動量をリアルタイムに記録し、後に容易に追記情報を追記し、かつ、その感動を他の利用者と共有することができる。
【００５８】
（第２の実施形態）
図９を用いて第２の実施形態のシステムの構成を説明する。前記した実施形態と同じ構成は、同じ符号を付して説明を省略する。第２の実施形態のシステムは、利用者の感動時の周辺情報として、利用者の端末２０内から取得した情報（保有情報）や、インターネット経由で取得した情報等を用いることを特徴とする。
【００５９】
例えば、端末２０は感動時の周辺情報として、感動時の日時、場所のほかに、感動時に利用者が撮影した写真や動画、利用者のスケジュール情報等を端末２０内から取得して送信する。また、端末２０がスマートフォン等、電話やメール等の着信履歴、発信履歴が利用できる場合には、感動時の周辺情報として、感動時における着信履歴、発信履歴等を端末２０内から取得して送信してもよい。また、端末２０は感動時の周辺情報として、インターネットから取得した利用者のスケジュール情報、天候情報、気温、湿度、ニュース情報、ブログ情報等を送信してもよい。
【００６０】
第２の実施形態のシステムにおける感動情報提供装置１０ａは、感動情報ＤＢ１４１ａを備える。この感動情報ＤＢ１４１ａは、感動情報ＤＢ１４１とほぼ同様であるが、端末２０から送信された周辺情報として、例えば、感動時に撮影された画像のＵＲＩ（Uniform  Resource  Identifier）や、利用者のスケジュール情報等をさらに含む点が異なる。そして、感動情報提供装置１０ａが端末２０からの要求に基づき感動情報を送信する際には、写真のＵＲＩや、利用者のスケジュール情報等の周辺情報を含めて送信する。これにより、端末２０の利用者が感動情報の追記情報を入力するとき、感動時の詳細な内容を思い出しやすくなる。
【００６１】
（処理手順）
次に、図１０を用いて、図９の感動記録フェーズの処理手順の例を説明する。端末２０は利用者Ａの利用者ＩＤ、パスワードで感動情報提供装置１０ａにログインすると（Ｓ１：利用者ＩＤでログイン）、感動量を取得する（Ｓ２）。
【００６２】
また、送信部２３３は、感動時の周辺情報を端末２０内から取得する（Ｓ３１）。つまり、送信部２３３は、時計部２６から当該端末２０の日時情報を取得し、位置検出部２８から当該端末２０の場所情報を取得する。また、送信部２３３は、記憶部２２から利用者が感動時に撮影した写真や、動画、感動時における利用者のスケジュール情報等を取得する。
【００６３】
また、送信部２３３は、感動時の周辺情報をインターネットから取得する（Ｓ３２）。例えば、送信部２３３は、利用者のスケジュール情報、天候情報、気温、湿度、ニュース情報、ブログ情報等をインターネットから取得する。
【００６４】
Ｓ３２の後、送信部２３３は、利用者ＩＤ、感動量、周辺情報を感動情報提供装置１０ａに送信する（Ｓ３３）。
【００６５】
Ｓ３３の後、感動情報提供装置１０ａの記録部１１は、端末２０からの利用者ＩＤ、感動量、周辺情報を受信し（Ｓ３４）、受信した情報を記憶部１４の感動情報ＤＢ１４１ａへ記録する（Ｓ３５）。なお、周辺情報に写真や動画が含まれているとき、この写真や動画のＵＲＩを感動情報ＤＢ１４１ａに記録してもよいし、写真や動画の画像データ自体を感動情報ＤＢ１４１ａに記録してもよい。
【００６６】
このようにすることで、感動情報提供装置１０ａは利用者が感動時に撮影した写真や、動画、利用者のスケジュール情報等を周辺情報として含む感動情報を提供することができる。
【００６７】
なお、この後の追記フェーズは、第１の実施形態とほぼ同じであるので詳細な説明は省略するが、第２の実施形態のシステムの端末２０が感動情報の追記情報（例えば、撮影した写真のキャプションや感動情報の更新情報）を受け付けるとき、例えば、図１１の符号１０４１に示す画面を表示させる。この画面は、感動情報（符号１０４２）と追記情報の入力を受け付ける領域（符号１０４３）とを含む。ここで、追記情報の入力を受け付ける領域（符号１０４３）は、追記情報の入力時に参照したい周辺情報の選択を受け付ける領域（符号１０４４）を含んでいてもよい。例えば、符号１０４４に示すように、感動時の天気、温度、写真、画像、ニュース情報、ＳＮＳ（Social  Networking  Service）等を示すアイコンを表示させ、端末２０は、選択されたアイコンに対応する情報を表示させる。このようにすることで、端末２０の利用者は、当該利用者の所望する周辺情報を参照しながら追記情報の入力を行うことができる。なお、図９の共有フェーズは、第１の実施形態とほぼ同じであるので詳細な説明は省略する。
【００６８】
以上説明した第２の実施形態のシステムによれば、端末２０の利用者の感動時の周辺情報として、利用者の端末２０内から取得した情報（保有情報）や、インターネット経由で取得した情報等を用いるので、利用者が感動情報の追記を行うときに、感動時の情報を詳細に思い出しやすくなる。
【００６９】
（第３の実施形態）
図１２を用いて第３の実施形態のシステムの構成を説明する。前記した実施形態と同じ構成は、同じ符号を付して説明を省略する。第３の実施形態のシステムは、感動情報提供装置１０ｂが感動情報の統計分析等を行い、その分析結果を端末２０へ送信することを特徴とする。
【００７０】
この感動情報提供装置１０ｂは、図１２に示すように分析可視化部（分析部）１５をさらに備える。また、記憶部１４は、感動情報ＤＢ１４１ａに加え、利用者情報ＤＢ１４２をさらに備える。なお、以下では、感動情報提供装置１０ｂの記憶部１４が感動情報ＤＢ１４１ａを備える場合を例に説明するが、感動情報ＤＢ１４１を備えてももちろんよい。
【００７１】
分析可視化部１５は、端末２０からの要求に基づき、感動情報ＤＢ１４１ａと利用者情報ＤＢ１４２とを参照して、各利用者の感動情報の分析を行い、その分析結果（分析可視化情報）を端末２０へ送信する。ここでの分析は、例えば、利用者の感動量の地域的な分布、時間的な分布、利用者の属性の違いによる感動量の違い等の分析である。
【００７２】
利用者情報ＤＢ１４２は、各利用者の属性情報等を含む利用者情報を記憶する。利用者情報ＤＢ１４２は、例えば、図１２に示すように利用者の利用者ＩＤごとに、当該利用者の年齢、性別等の属性情報を示す利用者情報を記憶する。この利用者情報は、利用者のパスワード等の情報を含んでいてもよい。
【００７３】
第３の実施形態のシステムは、前記した（１）感動記録フェーズ、（２）追記フェーズ、（３）共有フェーズに加え、（４）分析可視化フェーズの処理を実行する。（１）感動記録フェーズ、（２）追記フェーズは、前記した各実施形態とほぼ同じであるので詳細な説明は省略する。
【００７４】
図１２の分析可視化フェーズを説明する。分析可視化フェーズにおいて、分析可視化者の端末２０が感動情報提供装置１０ｂに対し分析可視化依頼情報を送信すると、感動情報提供装置１０ｂの分析可視化部１５は、記憶部１４に対し情報取得クエリを発行し、分析に用いる情報（利用者情報や感動情報）を取得する。そして、分析可視化部１５は取得した情報を用いて各種データの集計や統計処理等の分析を行い、その分析結果の可視化処理を行った結果である分析可視化情報を端末２０へ送信する。これにより、分析可視化者は各利用者の感動情報の分析可視化情報を得ることができる。
【００７５】
なお、感動情報提供装置１０ｂの分析可視化部１５および端末２０による分析可視化処理には、例えば、ＯＬＡＰ（OnLine  Analytical  Processing）手法を用いる。このＯＬＡＰは、図１３に示すように、（１）分析対象のデータベースから集計対象のみのスナップショットを取り正規化（例えば、単位の共通化）等の処理を行うＥＴＬ(Extract/Transform/Load)と、（２）多次元データベース（Cube）と、（３）多次元データベースにアクセスし、可視化する機能（可視化ＡＰ（アプリケーション））からなる。例えば、図１２の分析可視化部１５は、上記のＯＬＡＰ手法により、感動情報ＤＢ１４１ａと利用者情報ＤＢ１４２に対しＥＴＬを実行し、多次元データベースを構築する。そして、可視化ＡＰにより分析可視化者の端末２０からの可視化要求を受信すると、多次元データベースに対し、クエリを発行し、このクエリに対する返答（データ）を得る。そして、可視化ＡＰは多次元データベースから得た返答をグラフ等に表示した結果をhtml（HyperText  Markup  Language）等により記述したデータを分析可視化者の端末２０へ送信する。これにより、分析可視化者は感動情報の分析可視化情報を閲覧することができる。
【００７６】
（処理手順）
次に、図１４を用いて、図１２の分析可視化フェーズの処理手順の例を説明する。端末２０は分析可視化者Ａの分析可視化者ＩＤ、パスワードで感動情報提供装置１０ｂにログインすると（Ｓ４１：分析可視化者ＩＤでログイン）、利用者ＩＤまたはいずれかの周辺情報を感動情報提供装置１０ｂに送信する（Ｓ４２）。
【００７７】
感動情報提供装置１０ｂの分析可視化部１５は、端末２０からの利用者ＩＤまたはいずれかの周辺情報を受信すると（Ｓ４３）、受信した情報を検索条件とした情報取得クエリを発行し、感動情報ＤＢ１４１ａおよび利用者情報ＤＢ１４２を検索する（Ｓ４４）。そして、分析可視化部１５は、Ｓ４４で検索された情報の取得を行うと（Ｓ４５）、取得した情報を集計し（Ｓ４６）、統計処理、分析処理および可視化を行い（Ｓ４７）、その結果（分析可視化情報）を端末２０へ送信する。そして、端末２０の受信部２３４は、感動情報提供装置１０ｂから送信された分析可視化情報を表示部２５に表示する（Ｓ４８）。これにより、分析可視化者は該当する利用者全般における感動情報の分析可視化情報を閲覧することができる。
【００７８】
この分析可視化フェーズにおける端末２０の表示部２５への表示画面例を図１５に示す。例えば、図１５に示すように、画面１０５０は、分析可視化の対象とする場所（周辺情報）の指定を受け付ける領域１０５１と、分析可視化情報を表示する領域１０５２とを備える。この画面１０５０は、分析可視化の対象とする範囲の指定を受け付ける領域１０５３を含んでいてもよい。
【００７９】
例えば、図１５の領域１０５１において「東京都渋谷区」が指定され、領域１０５３において、「２０１７年７月３１日木曜日、女性で１１〜２０歳の人で感動量が５以上の数」が指定されると、この条件に合致する利用者情報および感動情報をもとに、領域１０５２に示す分析可視化情報を表示させる。領域１０５２に示す直方体は、感動した人の数および感動量を示し、感動した人（利用者）の数が多いほど幅を広くし、感動量の総和が大きいほど高さを高くしている。これにより、例えば、分析可視化者は、指定した日時、場所においてどれぐらいの人数の利用者が、どの程度感動したかを確認できる。一例を挙げると、上記のような分析可視化情報により、分析可視化者は、２０１７年７月３１日木曜日に渋谷区で開催したイベントについて、このイベントのターゲットとした性別・年齢の人々（例えば、１１〜２０歳の女性）に効果があったか等を確認することができる。
【００８０】
以上説明した第３の実施形態のシステムによれば、感動情報提供装置１０ｂは、感動情報ＤＢ１４１ａに蓄積された感動情報の分析可視化情報を端末２０に提供することができる。
【００８１】
（第４の実施形態）
図１６を用いて第４の実施形態のシステムの構成を説明する。前記した実施形態と同じ構成は、同じ符号を付して説明を省略する。第４の実施形態のシステムは、感動情報提供装置１０ｃが各利用者の感動情報のうち、類似する周辺情報を持つ感動情報の利用者のグループを生成し、この生成したグループに属する利用者の端末２０に対し、グループのコミュニティへの招待を行うことを特徴とする。
【００８２】
この感動情報提供装置１０ｃは、図１６に示すように生成部１６をさらに備える。なお、以下では、感動情報提供装置１０ｃの記憶部１４が感動情報ＤＢ１４１を備える場合を例に説明するが、感動情報ＤＢ１４１ａを備えてももちろんよい。
【００８３】
生成部１６は、感動情報ＤＢ１４１における各利用者の感動情報のうち、類似する周辺情報を持つ感動情報の利用者のグループを生成する。そして、生成部１６は、生成したグループに属する利用者の端末２０に対し、このグループのコミュニティへ招待する情報を送信する。そして、端末２０から当該コミュニティへの参加情報を受信すると、当該端末２０の利用者の登録依頼を外部のコミュニティサイト等へ送信する。なお、生成部１６がグループを生成するタイミングは問わないが、例えば、感動情報ＤＢ１４１に新たな日時情報、または場所情報を持つ感動情報が追加されたとき等である。
【００８４】
この第４の実施形態のシステムにおける（１）感動記録フェーズおよび（２）追記フェーズの処理は、前記した各実施形態と同じであるが、（３）共有フェーズの処理が異なる。例えば、図１６に示すように、（３）共有フェーズにおいて感動情報提供装置１０ｃの生成部１６は、周辺情報で利用者ＩＤのグルーピングを行う。具体的には、生成部１６は、感動情報ＤＢ１４１における各利用者の感動情報のうち、類似する周辺情報を持つ感動情報の利用者のグループを生成する。そして、生成部１６は、グループに属する各利用者の端末２０に対し、このグループのコミュニティへ招待する情報（招待情報）を送信する。なお、招待情報には、例えば、コミュニティＩＤやグルーピングに用いた周辺情報を含める。
【００８５】
そして、感動情報提供装置１０ｃの生成部１６は、端末２０から利用者ＩＤを含むコミュニティへの参加情報を受信すると、当該端末２０の利用者の当該コミュニティへの登録依頼を外部のコミュニティサイト等へ送信する。これにより、当該端末２０の利用者は、コミュニティサービスの提供を受けることができる。なお、コミュニティサービスは、外部のコミュニティサイトにより提供してもよいし、感動情報提供装置１０ｃが提供してもよい。
【００８６】
（処理手順）
次に、図１７を用いて、図１６の共有フェーズの処理手順の例を説明する。端末２０は利用者Ｂの利用者ＩＤ、パスワードで感動情報提供装置１０にログインする（Ｓ１：利用者ＩＤでログイン）。
【００８７】
また、感動情報提供装置１０ｃの生成部１６は、感動情報ＤＢ１４１に新たな日時情報または場所情報が発生すると（Ｓ４１）、この日時情報または場所情報から近傍情報を作成する（Ｓ４２）。例えば、生成部１６は、感動情報ＤＢ１４１に新たな日時情報または場所情報を持つ感動情報が追加されたことを検出すると、この追加された感動情報の近傍情報を作成する。近傍情報は、当該感動情報の日時情報または場所情報の類似範囲を示す情報である。例えば、生成部１６は、追加された感動情報の日時情報に示される日時の前後所定時間または場所情報に示される位置から所定範囲を、当該感動情報の近傍情報とする。
【００８８】
その後、生成部１６は上記近傍情報による感動情報ＤＢ１４１の検索を行う（Ｓ４３）。例えば、生成部１６は、Ｓ４２で生成した近傍情報を検索条件として感動情報ＤＢ１４１を検索する。なお、ここでの検索条件として近傍情報に加え、所定値以上の感動量を持つことを用いてもよい。
【００８９】
次に、生成部１６は、Ｓ４３で検索された感動情報の利用者のグループに割り当てるコミュニティＩＤを発行する（Ｓ４４）。そして、生成部１６は、検索された感動情報の利用者ＩＤおよび感動量と、日時情報および場所情報と、コミュニティＩＤとを含む招待情報を、Ｓ４３で検索された感動情報の利用者の端末２０へ送信する（Ｓ４５）。
【００９０】
端末２０の受信部２３４は、感動情報提供装置１０ｃから送信された招待情報を受信すると（Ｓ４６）、この招待情報に基づき、表示部２５にコミュニティ参加可否を利用者に問う画面を表示する（Ｓ４７）。そして、端末２０の受信部２３４は利用者からコミュニティへの参加の可否の入力を受け付けると、送信部２３３によりその入力結果（コミュニティ不参加またはコミュニティ参加）を感動情報提供装置１０ｃへ送信する（Ｓ４８）。
【００９１】
このようにして感動情報提供装置１０ｃの生成部１６は、端末２０の利用者からのコミュニティ参加の情報を受け付けると、コミュニティサイト等に当該利用者の登録依頼を行い、利用者は当該コミュニティサイトによるコミュニティサービスの提供を受ける。なお、上記の処理手順の例では、感動情報提供装置１０ｃが新たな感動情報が追加されたタイミングで利用者のグループを作ることとしたが、感動情報提供装置１０ｃの管理者等が指示したタイミングで利用者のグループを作ってもよい。
【００９２】
ここで、端末２０の表示部２５上に表示される画面例を、図１８を用いて説明する。例えば、端末２０は感動情報提供装置１０ｃから受信した招待情報に基づき、符号１０６１に示すような画面を表示部２５に表示させる。この画面には、コミュニティの概要（例えば、日時や場所や、当該日時および場所で感動した人の数等）や、コミュニティへ参加するか否かの選択入力を受け付けるボタン等が含まれる。ここで、コミュニティへの参加が選択されると、端末２０は感動情報提供装置１０ｃから当該コミュニティのサービスの提供を受け、例えば、符号１０６２や符号１０６３に示す画面のように、コミュニティ参加メンバの発言やコミュニティ参加メンバのアイコン等を示す画面を表示部２５に表示させる。
【００９３】
以上説明した第４の実施形態のシステムによれば、同じような日時、場所で感動した利用者間でコミュニティを形成し、そのコミュニティに参加した利用者間で様々な情報を共有することができる。
【００９４】
（その他の実施形態）
なお、端末２０が送信する利用者の感動量は、カウント部２３２でカウントされたカウント結果の値そのものでもよいし、各カウント結果を所定の計算式により変換した値でもよい。また、カウント結果から感動量への変換は、端末２０側で行ってもよいし、感動情報提供装置１０，１０ａ，１０ｂ,１０ｃ側で行ってもよい。
【００９５】
なお、各実施形態のシステムの構成要素は機能概念的なものであり、必ずしも各図に示したように構成されている必要はなく、任意の単位で統合・分散して構成することが可能である。
【００９６】
（プログラム）
また、各実施形態に係る感動情報提供装置が実行する処理をコンピュータが実行可能な言語で記述したプログラムを作成し、実行することもできる。この場合、コンピュータがプログラムを実行することにより、上記実施形態と同様の効果を得ることができる。さらに、かかるプログラムをコンピュータに読み取り可能な記録媒体に記録して、この記録媒体に記録されたプログラムをコンピュータに読み込ませて実行することにより上記実施形態と同様の処理を実現してもよい。以下に、感動情報提供装置と同様の機能を実現する制御プログラムを実行するコンピュータの一例を説明する。
【００９７】
図１９は、感動情報提供プログラムを実行するコンピュータを示す図である。図１９に示すように、コンピュータ２０００は、例えば、メモリ２０１０と、ＣＰＵ（Central  Processing  Unit）２０２０と、ハードディスクドライブインタフェース２０３０と、ディスクドライブインタフェース２０４０と、シリアルポートインタフェース２０５０と、ビデオアダプタ２０６０と、ネットワークインタフェース２０７０とを有する。これらの各部は、バス２０８０によって接続される。
【００９８】
メモリ２０１０は、ＲＯＭ（Read  Only  Memory）２０１１およびＲＡＭ（Random  Access  Memory）２０１２を含む。ＲＯＭ２０１１は、例えば、ＢＩＯＳ（Basic  Input  Output  System）等のブートプログラムを記憶する。ハードディスクドライブインタフェース２０３０は、ハードディスクドライブ２０９０に接続される。ディスクドライブインタフェース２０４０は、ディスクドライブ２１００に接続される。ディスクドライブ２１００には、例えば、磁気ディスクや光ディスク等の着脱可能な記憶媒体が挿入される。シリアルポートインタフェース２０５０には、例えば、マウス２１１０およびキーボード２１２０が接続される。ビデオアダプタ２０６０には、例えば、ディスプレイ２１３０が接続される。
【００９９】
ここで、図１９に示すように、ハードディスクドライブ２０９０は、例えば、ＯＳ２０９１、アプリケーションプログラム２０９２、プログラムモジュール２０９３およびプログラムデータ２０９４を記憶する。上記実施形態で説明した各テーブルは、例えばハードディスクドライブ２０９０やメモリ２０１０に記憶される。
【０１００】
また、感動情報提供プログラムは、例えば、コンピュータ２０００によって実行される指令が記述されたプログラムモジュールとして、ハードディスクドライブ２０９０に記憶される。具体的には、上記実施形態で説明した感動情報提供装置が実行する各処理が記述されたプログラムモジュールが、ハードディスクドライブ２０９０に記憶される。
【０１０１】
また、感動情報提供プログラムによる情報処理に用いられるデータは、プログラムデータとして、例えば、ハードディスクドライブ２０９０に記憶される。そして、ＣＰＵ２０２０が、ハードディスクドライブ２０９０に記憶されたプログラムモジュール２０９３やプログラムデータ２０９４を必要に応じてＲＡＭ２０１２に読み出して、上述した各手順を実行する。
【０１０２】
なお、感動情報提供プログラムに係るプログラムモジュール２０９３やプログラムデータ２０９４は、ハードディスクドライブ２０９０に記憶される場合に限られず、例えば、着脱可能な記憶媒体に記憶されて、ディスクドライブ２１００等を介してＣＰＵ２０２０によって読み出されてもよい。あるいは、制御プログラムに係るプログラムモジュール２０９３やプログラムデータ２０９４は、ＬＡＮ（Local  Area  Network）やＷＡＮ（Wide  Area  Network）等のネットワークを介して接続された他のコンピュータに記憶され、ネットワークインタフェース２０７０を介してＣＰＵ２０２０によって読み出されてもよい。
【符号の説明】
【０１０３】
１０，１０ａ，１０ｂ，１０ｃ  感動情報提供装置
１１    記録部
１２    追記部
１３    抽出部
１４，２２  記憶部
１５    分析可視化部
１６    生成部
２０    端末
２３    制御部
２４    操作部
２５    表示部
２６    時計部
２７    センサ部
２８    位置検出部
１４１，１４１ａ  感動情報ＤＢ
１４２  利用者情報ＤＢ
２３１  操作検出部
２３２  カウント部
２３３  送信部
２３４  受信部
【図１】
2016071394.tif 000003
【図２】
2016071394.tif 000004
【図３】
2016071394.tif 000005
【図４】
2016071394.tif 000006
【図５】
2016071394.tif 000007
【図６】
2016071394.tif 000008
【図７】
2016071394.tif 000009
【図８】
2016071394.tif 000010
【図９】
2016071394.tif 000011
【図１０】
2016071394.tif 000012
【図１１】
2016071394.tif 000013
【図１２】
2016071394.tif 000014
【図１３】
2016071394.tif 000015
【図１４】
2016071394.tif 000016
【図１５】
2016071394.tif 000017
【図１６】
2016071394.tif 000018
【図１７】
2016071394.tif 000019
【図１８】
2016071394.tif 000020
【図１９】
2016071394.tif 000021